(57)【要約】【課題】被写体への汚れの付着状況等に合わせて、広い範囲への拡散噴射と、狭い範囲への高圧噴射と、緩流による大流量噴射等を使い分けて効率的な被写体洗浄を行うことができる内視鏡の体腔内洗浄水噴射装置を提供すること。【解決手段】内視鏡の挿入部１の先端５から被写体に向けて洗浄水を噴射するための洗浄水噴射口７が挿入部１の先端５に開口形成された内視鏡の体腔内洗浄水噴射装置において、挿入部１の基端側２からの遠隔操作により動作して洗浄水噴射口７から噴射される洗浄水の水流の広がりと窄まりの状態を制御するための可動ノズル芯材１８を洗浄水噴射口７内に設けた。【選択図】      図１
2004313283.tif 000002
【特許請求の範囲】
【請求項１】
内視鏡の挿入部の先端から被写体に向けて洗浄水を噴射するための洗浄水噴射口が上記挿入部の先端に開口形成された内視鏡の体腔内洗浄水噴射装置において、
上記挿入部の基端側からの遠隔操作により動作して上記洗浄水噴射口から噴射される洗浄水の水流の広がりと窄まりの状態を制御するための可動ノズル芯材を上記洗浄水噴射口内に設けたことを特徴とする内視鏡の体腔内洗浄水噴射装置。
【請求項２】
上記可動ノズル芯材は外径が途中で変化した棒状体であり、上記洗浄水噴射口内に軸線方向に移動可能に配置されている請求項１記載の内視鏡の体腔内洗浄水噴射装置。
【請求項３】
上記洗浄水噴射口の開口口元部は径が外方に向かって広がったテーパ状に形成され、上記可動ノズル芯材は先端部分が中間部分より大きな外径に形成されている請求項２記載の内視鏡の体腔内洗浄水噴射装置。
【請求項４】
上記洗浄水を通過させるための送水管が上記挿入部内に挿通配置されていて、上記送水管の先端部分が上記洗浄水噴射口に対して軸線方向に進退自在に接続され、上記可動ノズル芯材が上記送水管の先端部分に取り付けられている請求項１、２又は３記載の内視鏡の体腔内洗浄水噴射装置。
【発明の詳細な説明】
【０００１】
【発明の属する技術分野】
この発明は内視鏡の体腔内洗浄水噴射装置に関する。
【０００２】
【従来の技術】
大腸検査用の内視鏡等には、観察窓の表面の汚れを洗い流すための送水装置とは別に、被写体である粘膜面に付着している汚物等を洗い流すための体腔内洗浄水噴射装置が設けられている。
【０００３】
そのような従来の内視鏡の体腔内洗浄水噴射装置は、一般に、内視鏡の挿入部の先端から被写体に向けて洗浄水を噴射するための単純な絞り孔状の噴射口が、挿入部の先端に真っ直ぐに開口形成された構成になっている（例えば、特許文献１）。
【０００４】
【特許文献１】
特開２００１−１７０００３
【０００５】
【発明が解決しようとする課題】
上述のような従来の内視鏡の体腔内洗浄水噴射装置においては、洗浄水噴射口が単純な絞り孔状に形成されているだけなので、被写体に向けて噴出される洗浄水の水流の状態を調整する操作は、洗浄水を内視鏡に注入する側において注入圧を変える程度のことしか行うことができない。
【０００６】
そのため、被写体への汚れの付着状況等に合わせて、例えば広い範囲への拡散噴射と、狭い範囲への高圧噴射と、緩流による大流量噴射等を使い分けることができず、効率的な洗浄を行うことができない場合があった。
【０００７】
そこで本発明は、被写体への汚れの付着状況等に合わせて、広い範囲への拡散噴射と、狭い範囲への高圧噴射と、緩流による大流量噴射等を使い分けて効率的な被写体洗浄を行うことができる内視鏡の体腔内洗浄水噴射装置を提供することを目的とする。
【０００８】
【課題を解決するための手段】
上記の目的を達成するため、本発明の内視鏡の体腔内洗浄水噴射装置は、内視鏡の挿入部の先端から被写体に向けて洗浄水を噴射するための洗浄水噴射口が挿入部の先端に開口形成された内視鏡の体腔内洗浄水噴射装置において、挿入部の基端側からの遠隔操作により動作して洗浄水噴射口から噴射される洗浄水の水流の広がりと窄まりの状態を制御するための可動ノズル芯材を洗浄水噴射口内に設けたものである。
【０００９】
なお、可動ノズル芯材は外径が途中で変化した棒状体であって、洗浄水噴射口内に軸線方向に移動可能に配置されていてもよく、その場合に、洗浄水噴射口の開口口元部は径が外方に向かって広がったテーパ状に形成され、可動ノズル芯材は先端部分が中間部分より大きな外径に形成されていてもよい。
【００１０】
また、洗浄水を通過させるための送水管が挿入部内に挿通配置されていて、送水管の先端部分が洗浄水噴射口に対して軸線方向に進退自在に接続され、可動ノズル芯材が送水管の先端部分に取り付けられていてもよい。
【００１１】
【発明の実施の形態】
図面を参照して本発明の実施例を説明する。
図２は内視鏡の全体構成を示しており、可撓管状の挿入部１の基端に操作部２が連結され、挿入部１の先端寄りの部分に形成されている湾曲部３は、操作部２に配置された湾曲部操作ノブ４によって任意の方向に任意の角度だけ屈曲させることができる。
【００１２】
挿入部１の最先端には、観察窓や照明窓等が配置された先端部本体５が連結されており、挿入部１内に全長にわたって挿通配置された送水管６の先端部分が、先端部本体５の先端面に開口形成された洗浄水噴射口７に連通接続されている。
【００１３】
送水管６の基端部分は、操作部２に配置された注水口８に連通接続されており、図示されていない洗浄水注入装置を注水口８に接続することにより、送水管６を経由して洗浄水噴射口７から被写体に向けて洗浄水を噴出させることができる。
【００１４】
また、洗浄水噴射口７には、そこから噴射される洗浄水の水流の広がりと窄まりの状態を制御するための可動ノズル芯材１８が配置されており、その可動ノズル芯材１８は、挿入部１内に挿通配置された操作ワイヤ９を介して、操作部２に配置された操作レバー１０により遠隔操作される。なお、操作部２における操作ワイヤ９の駆動機構は公知のラックピニオン機構等を利用することができるので、その詳細な説明は省略する。
【００１５】
図１は内視鏡の挿入部１の先端部分を示しており、先端部本体５の先端面に配置された観察窓１１の奥に対物光学系１２が配置され、その対物光学系１２による被写体の投影位置に固体撮像素子１３の撮像面が配置されている。ただし、固体撮像素子１３に代えてイメージガイドファイババンドルを用いたものであってもよい。
【００１６】
洗浄水噴射口７は、観察窓１１と並んで先端部本体５の先端面に配置されていて、その開口口元部は一定の細い径に形成された奥側の絞り孔部７ａから外方に向かって径が広がったテーパ状に形成されており、絞り孔部７ａより奥の部分は絞り孔部７ａより太い一定の内径のシリンダ孔部７ｂになっている。
【００１７】
挿入部１内に挿通配置されている送水管６は、例えば四フッ化エチレン樹脂チューブ等のような可撓性チューブにより形成されていて、その先端には硬質部材からなる円筒状の先端口金１５が接続固着されている。先端口金１５は、シリンダ孔部７ｂ内に軸線方向に進退自在に嵌挿されており、その嵌合面にはシール用のＯリング１６が装着されている。
【００１８】
１８は、洗浄水噴射口７から噴射される洗浄水の水流の広がりと窄まりの状態を制御するための可動ノズル芯材である。可動ノズル芯材１８は先端部分１８ａの外径が太く形成された棒状体であり、その外径変化部分は滑らかなテーパ状になっている。
【００１９】
また、可動ノズル芯材１８の基端側に一体的に連結形成されている連結用筒状部１８ｂが、先端口金１５の先端部分に挿入固着されている。その結果、図３にも示されるように、可動ノズル芯材１８が先端口金１５の軸線の延長線位置において先端口金１５の先端から前方に突出する状態で先端口金１５に固定された状態になっている。
【００２０】
連結用筒状部１８ｂは、先端口金１５の内部通路を塞がないように、可動ノズル芯材１８との連結部分が十字状の断面形状に形成されている。したがって、送水管６を通って送られてきた洗浄水は、先端口金１５内から可動ノズル芯材１８の周囲を通過して洗浄水噴射口７から前方に向かって噴射される。
【００２１】
先端口金１５には、操作部２に配置されている操作レバー１０により遠隔操作される操作ワイヤ９の先端が連結されている。したがって、操作レバー１０によって操作ワイヤ９を矢印Ａで示されるように進退操作することにより、先端口金１５が軸線方向に移動して、可動ノズル芯材１８が矢印Ｂで示されるように洗浄水噴射口７の軸線位置で前後に進退する。
【００２２】
このように構成された内視鏡の体腔内洗浄水噴射装置は、図４に略示されるように、先端太径部１８ａが洗浄水噴射口７より外方に突出する程度に可動ノズル芯材１８を前方に配置させた状態では、送水管６内を通って送られてきた洗浄水が洗浄水噴射口７の広がりに対応して広い範囲へ拡散噴射される。
【００２３】
そして、図５に示されるように、先端太径部１８ａが絞り孔部７ａ内に位置する程度に可動ノズル芯材１８を後方に移動させると、送水管６内を通ってきた洗浄水が先端太径部１８ａと絞り孔部７ａとの間の狭い隙間を通過することによって絞り孔部７ａの内圧が高まり、前方の狭い範囲へ高圧噴射される状態になる。
【００２４】
また、図６に示されるように、先端太径部１８ａがシリンダ孔部７ｂ内に位置する程度に可動ノズル芯材１８をさらに後方に移動させると、送水管６内を通ってきた洗浄水が可動ノズル芯材１８によって妨げられることなく絞り孔部７ａを通過し、緩流による大流量噴射の状態になる。
【００２５】
なお、本発明は上記実施例に限定されるものではなく、例えば先端太径部１８ａが球状等に形成されていてもよい。また、可動ノズル芯材１８を進退させるための操作ワイヤ９に代えて、送水管６自体を進退操作するような構成を採ってもよい。
【００２６】
【発明の効果】
本発明によれば、挿入部の基端側からの遠隔操作により動作して洗浄水噴射口から噴射される洗浄水の水流の広がりと窄まりの状態を制御するための可動ノズル芯材を洗浄水噴射口内に設けたことにより、被写体への汚れの付着状況等に合わせて、広い範囲への拡散噴射と、狭い範囲への高圧噴射と、緩流による大流量噴射等を使い分けて効率的な被写体洗浄を行うことができる。
【図面の簡単な説明】
【図１】本発明の実施例の内視鏡の挿入部の先端部分の側面断面図である。
【図２】本発明の実施例の内視鏡の全体構成を示す側面図である。
【図３】本発明の実施例の内視鏡の体腔内洗浄水噴射装置の部分斜視図である。
【図４】本発明の実施例の内視鏡の体腔内洗浄水噴射装置の洗浄水噴射状態を示す略示図である。
【図５】本発明の実施例の内視鏡の体腔内洗浄水噴射装置の洗浄水噴射状態を示す略示図である。
【図６】本発明の実施例の内視鏡の体腔内洗浄水噴射装置の洗浄水噴射状態を示す略示図である。
【符号の説明】
１  挿入部
２  操作部
５  先端部本体（挿入部の先端）
６  送水管
７  洗浄水噴射口
７ａ  絞り孔部
７ｂ  シリンダ孔部
８  注水口
９  操作ワイヤ
１０  操作レバー
１５  先端口金
１８  可動ノズル芯材
１８ａ  先端太径部
１８ｂ  連結用筒状部
【図１】
2004313283.tif 000003
【図２】
2004313283.tif 000004
【図３】
2004313283.tif 000005
【図４】
2004313283.tif 000006
【図５】
2004313283.tif 000007
【図６】
2004313283.tif 000008